(57)【要約】【課題】駆動電源の切断に拘わり無く携帯電話の充電が可能な充電装置を備えたプリンタ装置及び印刷システムを提供する。【解決手段】プリンタ装置１又は１′の電源回路の商用電源から電源をとるＡＣコンセント６にケーブル７を介して連結されるトランス８は、２次側コイル１１（Ｌ２）及び１２（Ｌ３）とで主電源用と充電用の２種類の電源を生成する。主電源は主電源スイッチ１３により入力／遮断されるが、充電用電源は主電源スイッチ１３による主電源の入力／遮断に拘わり無く常時有効にクレードル２及びＵＳＢ端子４に充電用電源を供給する。これによりクレードル２に載せられた携帯電話３は内蔵の充電電池に充電を行うことができ、ＵＳＢケーブル５を介してＵＳＢ端子４に接続される携帯電話３の場合も同様に内蔵の充電電池に充電を行うことができる。【選択図】      図１
2005125634.tif 000002
【特許請求の範囲】
【請求項１】
携帯電話を着脱可能に装着する着脱機構を備えたプリンタ装置において、
該プリンタ装置の主電源を投入する主電源スイッチ手段と、
該主電源スイッチ手段により作動・不作動が切り換えられプリンタ内の印刷機構に電源を供給する電源回路と、
前記主電源スイッチ手段による切り換えにかかわらず前記着脱機構に蓄電池充電用の電源を常時供給する常時電源供給手段と、
を備えることを特徴とするプリンタ装置。
【請求項２】
前記着脱機構は、プリンタに設けられたクレードル構造から成ることを特徴とする請求項１記載のプリンタ装置。
【請求項３】
前記着脱機構は、プリンタに設けられたコネクタとケーブルとから成ることを特徴とする請求項１記載のプリンタ装置。
【請求項４】
前記着脱機構は、撮像機能を備えた前記携帯電話を装着可能であることを特徴とする請求項１記載のプリンタ装置。
【請求項５】
撮像機能を備える携帯電話と該携帯電話を着脱機構を介して連結可能に構成するプリンタ装置とからなり前記携帯電話から出力される情報を印刷する印刷システムにおいて、
前記プリンタ装置の電源スイッチの状態にかかわらず前記着脱機構に携帯電話内の蓄電池を充電するための電源を供給する前記プリンタ装置に設けられた電源回路手段と、
前記携帯電話から出力される情報を選択指定する前記プリンタ装置に設けられた操作入力手段と、
前記携帯電話から出力される情報を表示する前記プリンタ装置に設けられた表示手段と、
前記プリンタ装置からの指定情報に従って印刷すべきデータを送出する前記携帯電話に設けられた印刷情報出力制御手段と、
前記携帯電話から出力された印刷すべきデータを取得して印刷処理を行う前記プリンタ装置に設けられた印刷処理手段と、
からなることを特徴とする印刷システム。
【請求項６】
前記プリンタ装置の主電源がオンの状態では、印刷処理を促す表示を前記表示手段にて行い、前記プリンタ装置の電源がオフの状態では、該プリンタ装置の前記着脱機構を介して連結された前記携帯電話に自動的に充電処理を行うことを特徴とする請求項５記載の印刷システム。
【発明の詳細な説明】
【技術分野】
【０００１】
本発明は、携帯電話の充電装置を備えたプリンタ装置に関する。
【背景技術】
【０００２】
従来、携帯電話の充電器は、商用電源に接続する接続器、充電のための電源（電圧／電流）に変換する変圧整流器、充電制御回路、ケーブル、携帯電話本体との接続器（クレードル）などからなる。（例えば、特許文献１参照。）
通常、携帯電話を利用しない際に、携帯電話をクレードルに載せると、携帯電話内蔵の充電式電池にクレードル側から自動的に充電処理が行われるようになっている。
【０００３】
従って、充電器の商用電源への接続部分は、携帯電話に充電を行わない期間でも、常に商用電源のコンセントに接続したままでの状態で放置されることが多い。
【特許文献１】特開平０５−１６７４９８号公報（［要約］、図１）
【発明の開示】
【発明が解決しようとする課題】
【０００４】
上記のような従来の携帯電話用の充電器は、商用電源であるＡＣ電源を電池充電用のＤＣ電源に変換するために変圧器が接続されており、この変圧器の部分が比較的大きくて何かと邪魔になるという問題があった。また、使用しないまま長く放置しておくと、接点部分などが、ごみや埃にまみれ易く、これが変圧器の発熱で発火する虞もあった。
【０００５】
また、パソコン（パーソナルコンピュータ）やプリンタ装置などに設けられた接続端子を利用して携帯電話に充電しようとした場合、パソコンやプリンタ装置の電源が切られると充電に転用できる電源も落ちてしまうため充電に利用できないという不便があった。
本発明の課題は、上記従来の実情に鑑み、駆動電源の切断に拘わり無く携帯電話の充電が可能な充電装置を備えたプリンタ装置及び印刷システムを提供することである。
【課題を解決するための手段】
【０００６】
先ず、第１の発明のプリンタ装置は、携帯電話を着脱可能に装着する着脱機構を備えたプリンタ装置において、該プリンタ装置の主電源を投入する主電源スイッチ手段と、該主電源スイッチ手段により作動・不作動が切り換えられプリンタ内の印刷機構に電源を供給する電源回路と、上記主電源スイッチ手段による切り換えにかかわらず上記着脱機構に蓄電池充電用の電源を常時供給する常時電源供給手段と、を備えて構成される。
【０００７】
上記着脱機構は、例えばプリンタに設けられたクレードル構造から成り、また、例えばプリンタに設けられたコネクタとケーブルとから成り、そして、例えば撮像機能を備えた携帯電話を装着可能に構成されている。
次に、第２の発明の印刷システムは、撮像機能を備える携帯電話と該携帯電話を着脱機構を介して連結可能に構成するプリンタ装置とからなり上記携帯電話から出力される情報を印刷する印刷システムにおいて、上記プリンタ装置の電源スイッチの状態にかかわらず上記着脱機構に携帯電話内の蓄電池を充電するための電源を供給する上記プリンタ装置に設けられた電源回路手段と、上記携帯電話から出力される情報を選択指定する上記プリンタ装置に設けられた操作入力手段と、上記携帯電話から出力される情報を表示する上記プリンタ装置に設けられた表示手段と、上記プリンタ装置からの指定情報に従って印刷すべきデータを送出する上記携帯電話に設けられた印刷情報出力制御手段と、上記携帯電話から出力された印刷すべきデータを取得して印刷処理を行う上記プリンタ装置に設けられた印刷処理手段と、から構成される。
【０００８】
この印刷システムは、例えば上記プリンタ装置の主電源がオンの状態では、印刷処理を促す表示を上記表示手段にて行い、上記プリンタ装置の電源がオフの状態では、該プリンタ装置の上記着脱機構を介して連結された上記携帯電話に自動的に充電処理を行うように構成される。
【発明の効果】
【０００９】
本発明によれば、携帯電話をプリンタ装置のクレードル上に置くだけで常に自動的に充電作業が行われるので、携帯電話の専用充電器が不要となって便利である。
また、プリンタ装置を駆動する主電源が入っていなくても携帯電話の充電処理が行われるので、充電のためにプリンタ装置の主電源の投入スイッチを意識して入れておく必要がなく、プリンタ装置に対して通常の使用方法で対処できるので便利である。
【００１０】
また、プリンタ装置の主電源を入れれば簡単にプリンタ操作部からの操作指示により、携帯電話内のメール情報、アドレス情報、写真情報などの種々の情報を選択的に印刷させることができるので便利である。
また、クレードルでなくともプリンタ装置に設けられた外部接続用のＵＳＢ端子にケーブルを介して携帯電話を接続しても上記同様のことが実施できるので便利である。
【発明を実施するための最良の形態】
【００１１】
図１(a) は、一実施の形態におけるプリンタ装置及び印刷システムの外観構成を模式的に示す図であり、同図(b) は、その変形例の外観構成を模式的に示す図であり、同図(c) は、プリンタ装置の内部構成を示すブロック図である。
図１(a) は、プリンタ装置１の上面左側に設けられているクレードル２に携帯電話３が載置されている状態を示している。尚、図ではクレードル２は携帯電話３の下方に隠れていて見えない。
【００１２】
図１(b) は、上記の変形例として、プリンタ装置１´の上面にはクレードルが無く、代わりに側面に設けられているコネクタとしてのＵＳＢ端子４にＵＳＢケーブル５を介して携帯電話３が接続されている状態を示している。尚、図ではＵＳＢ端子４は側面に隠れていて見えない。
【００１３】
図１(c) は、上記のプリンタ装置１及び１´の内部構成を一つに纏めて示している。同図(c) に示すように、このプリンタ装置１（又は１′、以下同様）の電源回路は、商用電源から電源をとるようになっており、商用電源に接続するための接続器であるＡＣコンセント６にケーブル７を介して連結されるトランス８を備えている。
【００１４】
トランス８は、１次側コイル（Ｌ１）９と、２つに分けて設けられた２次側コイル１１（Ｌ２）及び１２（Ｌ３）とで構成され、所望の電圧の電源を生成して装置全体に供給する。
上記の２次側コイル１１（Ｌ２）は、主電源用であり、この２次側コイル１１（Ｌ２）には主電源スイッチ１３が接続されている。この主電源スイッチ１３には不図示の整流回路などを介して直流電源部１４と交流電源部１５が接続されている。これら直流電源部１４と交流電源部１５は、主電源スイッチ１３の入力・切断に応じて作動・不作動が切り換えられる。
【００１５】
直流電源部１４は、所定の直流電源を直流負荷部１６に供給する。直流負荷部１６は、直流電源を用いる負荷、例えば制御用マイクロプロセッサなどから成るコントローラ１７や不図示のエンジン部などで構成される。
直流負荷部１６のコントローラ１７には、携帯情報授受回路１８とＵＳＢ信号回路１９が接続されており、携帯情報授受回路１８の先には上述したクレードル２が接続されており、ＵＳＢ信号回路１９にはこれも上述したＵＳＢ端子４が接続されている。
【００１６】
コントローラ１７は、クレードル２及び携帯情報授受回路１８又はＵＳＢ端子４及びＵＳＢ信号回路１９を介して携帯電話３から読み出した情報に基づいて、エンジン部を制御する。
エンジン部は、特には図示しないが印字部、表示部、操作パネル等で構成される。印字部は、電子写真方式、インクジェット方式、熱転写方式など、印刷処理を実行できる構成であれば何であっても良い。
【００１７】
このエンジン部には、交流電源部１５から供給される交流電源を用いる交流負荷部２１も含まれる。交流負荷部２１には、例えば用紙の搬送系を駆動する交流モータなどが含まれる。
上記直流電源部１４と交流電源部１５の電源供給回路は、主電源スイッチ１３の投入により電源が供給されるように回路が組まれており、プリンタ装置１が利用されない時には、主電源スイッチ１３が遮断されることにより、装置内にある全ての負荷や接続端子等に電源が全く供給されない状態になる。
【００１８】
ところが、本例のプリンタ装置１では、図１(a) に示したように、携帯電話３を載置して充電するためのクレードル２が設けられており、ＡＣコンセント６が商用電源に接続されている限り、主電源スイッチ１３のオン・オフ状態に拘わり無く、上記のクレードル２に設けられた携帯電話充電用の電源端子に常時電源が供給されるような回路が、このプリンタ装置１の電源回路に設けられている。
【００１９】
すなわち、図１(c) に示すように、トランス８には、上述した主電源用の２次側コイル１１（Ｌ２）と、更に他の２次側コイル１２（Ｌ３）が設けられており、この２次側コイル１２（Ｌ３）の出力は、常時通電直流回路２２に入力される。この常時通電直流回路２２は、変圧器と整流回路により５Ｖの直流電源を生成し、携帯電話３のクレードル２に設けられた電源端子に、携帯電話充電回路２３を介して５Ｖの電源を常時供給するようになっている。
【００２０】
これにより、上記のクレードル２に載せられる携帯電話３は、クレードル２に設けられた電源端子から供給される直流電源により、携帯電話内の充電電池に充電を行うことができる。尚、上記の携帯電話充電回路２３には過充電保護回路が設けられており、クレードル２に携帯電話３を長期に載せたままにしておいても過充電の心配はない。
【００２１】
また、図１(b) に示した同図(a) の変形例に対応する構成として、上記の２次側コイル１２（Ｌ３）の出力先には、ＵＳＢ電源回路２４も設けられている。この構成は、専用のクレードル式充電装置を設けることなく、プリンタ装置１´に設けられるＵＳＢ端子４の電源端子に、常時通電直流回路２２から、常時ＤＣ電源を供給する構成とするものである。このＵＳＢ端子４に接続されるＵＳＢケーブル５を介して、携帯電話３に充電用の電源を供給する。
【００２２】
尚、同図(c) には、同図(a) に示す一実施形態と同図(b) に示す変形例とを共に示したものであり、同図(c) に示す構成において、携帯電話充電回路２３、クレードル２、及び携帯情報授受回路１８を１組とした構成と、ＵＳＢ電源回路２４、ＵＳＢ端子４、及びＵＳＢ信号回路１９を１組とした構成とは、いずれか一方があれば他方は無くても良い。勿論、両方備えるようにしてもよい。
【００２３】
上述したように、クレードル構成、ＵＳＢ端子構成の何れの場合にも、端子部分には、電源供給端子以外に、クレードル２には携帯情報授受回路１８との通信、ＵＳＢ端子４にはＵＳＢ信号回路１９との通信を行うためのデータ通信用の端子も設けられており、プリンタ装置１又は１´に対して、携帯電話３から、印刷用のデータを送受信できるように構成されている。
【００２４】
図２は、上記プリンタ装置及び印刷システムにおける携帯電話３の構成を示すブロック図である。同図に示すように携帯電話３は、メインコントローラ２５を中心にして、このメインコントローラ２５に、信制通御部２６、表示制御部２７、蓄電池２８、充電回路２９、表示部３１、操作部３２、撮像部３３、メモリ部３４、プリンタとの印刷制御３５が接続されている。
【００２５】
上記プリンタとの印刷制御３５には、外部接続端子３６が接続されている。この外部接続端子３６は、図１(a),(b),(c) に示したクレードル２又はＵＳＢケーブル５に接続される端子であり、これらよってプリンタ１又は１´に接続される。
メインコントローラ２５は上記各部を介して携帯電話３全体を制御する。通信制御部２６はアンテナ３７及び近傍の通信ネットワーク基地局を介して所望の通信端末との送受信を行う。表示制御部２７は表示部３１を表示制御する。蓄電池２８は充電式の電源であり上記各部に電力を供給する。
【００２６】
充電回路２９は、蓄電池２８の蓄電容量に空きが出来ているときにこの携帯電話３が上記クレードル２又はＵＳＢケーブル５を介してプリンタ１又は１´に接続されたとき、外部接続端子３６を介してプリンタ１又は１´から供給される充電用電力を、メインコントローラ２５を介して蓄電池２８に供給する。
【００２７】
表示部３１は、表示制御部２７からの制御により、この携帯電話３への着信番号、着信メール、着信画像等を表示し、あるいは操作部３２から入力されるアドレス等の数値データ、メール等の文章データを表示し、また、操作部３２からの入力指示によってメモリ部３４に記憶されているアドレス、メール、画像などのデータを表示し、更には撮像部３３で撮像された画像等を表示する。
【００２８】
操作部３２は、かな漢字、英文字、数字、記号等を入力可能な操作キーを備えており、使用者からの操作キーの入力イベントをメインコントローラ２５に通知する。
撮像部３３は、ＣＣＤカメラを備え、操作部３２からの入力指示により、情景や人物などを撮像する。この撮像された画像データはメインコントローラ２５を介してメモリ部３４の所定領域に記憶される。
【００２９】
メモリ部３４は、予め入力されている通信先のアドレスデータを格納したアドレス帳や受信した又は発信したメールの文章データ、更には撮像部３３で撮像された撮像データや受信した画像データ等を記憶する。
プリンタとの印刷制御３５は、外部接続端子３６を介してプリンタ１又は１´のコントローラ１７とコマンドの送受信を行い、使用者からの入力に基づいて又は予め設定されている印刷モードに基づいて、アドレスデータ、メールデータ、又は画像データを、印刷のためにプリンタ１又は１´に送信する。
【００３０】
尚、本例のプリンタ装置１（又は１´）は、主電源スイッチ１３が切られている状態でも、携帯電話充電回路２３からＤＣ５Ｖ電源がクレードル２に出力されるので、携帯電話３の蓄電池の充電処理は常時できるが、主電源スイッチ１３が切られている状態では制御回路が動作しないため信号の授受などはできない。
【００３１】
他方、主電源スイッチ１３が入った状態では、携帯情報授受回路１８（又はＵＳＢ信号回路１９）が動作可能に制御されるので、これらの情報授受回路により、例えばカメラ付き携帯電話３から送信されてくる撮影画像データ等を受信し、本来の印刷機能を用いて撮影画像データ等の印刷処理を行うことができる。
【００３２】
クレードル２に限らず、ＵＳＢ端子４にも、直流５Ｖを出力する電源端子（Ｖｃｃ、ＧＮＤ）とデータ入出力端子（Ｄ＋，Ｄ−）が設けられているので、上記携帯電話３に対するプリンタ装置１又は１´の動作は何ら変わるところは無い。
また、この印刷システムでは、プリンタ装置１（又は１´）の直流負荷部１６のエンジン部で制御される操作パネルを用いて、携帯電話３に印刷データの送信を命令することができる。この制御命令によって、メモリに記憶されている撮影済みの写真データ、登録されているメールデータ、アドレスデータ等を送信させ、プリンタ装置１（又は１´）で印刷処理を行うことができる。
【００３３】
尚、従来のＵＳＢ規格では、パソコン等のホスト機器が介在しないと、周辺機器のみを相互に接続して動作させることはできなかったが、ＵＳＢ規格の上位層のプロトコルの１つで、ＵＳＢマスストレージクラス（Universal Serial Bus Mass Storage Class ）という規格が出来ている。
【００３４】
この規格は、ＵＳＢに外部機器が接続された場合、この接続された外部機器が、ＰＣ（パーソナルコンピュータ）側から、ＦＤＤ（フロッピー（登録商標）ディスクドライブ）やＨＤＤ（ハードディスクドライブ）と同様にドライブとして認識されるというものである。
【００３５】
これを更に発展させて、現在では例えばＵＳＢ−ＯＴＧ（ＵＳＢ  Ｏｎ−Ｔｈｅ−Ｇｏ）規格が新しく開発されている。このＵＳＢ−ＯＴＧ規格の仕様では、デジタルカメラ（又はデジタルカメラ付き携帯電話）とプリンタ装置とをＵＳＢで直結して、ＰＣや専用の印刷ソフトウエアを介さずに印刷することができる。また印刷に際しては、デジタルカメラの液晶表示装置上で画像を確認しながら、印刷枚数やサイズなどの設定も行えるものである。
【００３６】
このように周辺機器同士で接続して利用することができるものには、上記のＵＳＢ−ＯＴＧ規格を用いる方法の他に、ＣＩＰＡ（Camera & Imaging Products Association）で作成されたＤＣ−００１（ＰｉｃｔＢｒｉｄｇｅともいう）という規格の通信プロトコルアーキテクチャを用いる方法もある。このＰｉｃｔＢｒｉｄｇｅは、物理的通信レイヤーとしてＵＳＢを用い、この通信プロトコルを汎用的に規格化したものである。
【００３７】
したがて、ＤＳＣ（デジタルスチルカメラ）とプリンタ装置とが共にＰｉｃｔＢｒｉｄｇｅ対応機で構成されていると、これらを相互にＵＳＢ端子で直結するだけで、ＰｉｃｔＢｒｉｄｇｅ対応機であることが相互に確認され、ＰｉｃｔＢｒｉｄｇｅ通信プロトコルに基づいて特別に他の印刷アプリケーションを介さずに印刷が実行されるようになる。
【００３８】
続いて本発明の携帯電話の充電装置を備えたプリンタ装置及び印刷システムにおいて、携帯電話３とプリンタ装置１（又は１´、以下同様）とを直結して印刷を行う場合のプリンタ装置側の処理動作について説明する。
図３は、図１(c) に示す主電源スイッチ１３によってプリンタ装置１に電源が入っている場合の制御の動作を説明するフローチャートである。
【００３９】
先ず、図１(a),(b),(c) においてプリンタ装置１の主電源スイッチ１３が入れられてプリンタ装置１に電源が入っている状態では、プリンタ装置１のコントローラ１７は、携帯電話３がクレードル２に装着されている（又はＵＳＢケーブル５で接続されている）か否かを判別する（Ｓ３０１）。
【００４０】
ここで、ユーザが、携帯電話３をクレードル２に装着する（又はＵＳＢケーブル５で接続する）と、その装着をプリンタ装置１のコントローラ１７が識別する。携帯電話３の装着を認識するとコントローラ１７は、表示部に印刷の案内メニューを表示する（Ｓ３０２）。
【００４１】
この案内メニューは、携帯電話のデータ印刷として通常考えられるものとして例えばメール内容の印刷、アドレス帳の内容印刷、そして撮影した画像データの印刷（写真印刷）などがあり、これらの内のいずれかの項目を指定して選択することのできる案内メニューである。
【００４２】
そして、コントローラ１７は、表示されている案内メニューから上記いずれかの項目を選択する操作が行われたか否かを判別する（Ｓ３０３）。
ここで、利用者が案内メニューから所望の項目を選択すると、コントローラ１７は、選択操作が行われたと判別し（Ｓ３０３がＹ）、更に、その選択操作で選択されている案内メニューの項目がメール印刷、アドレス印刷、写真印刷のうちのいずれであるかを判別する（Ｓ３０４）。
【００４３】
そして、その判別に従って、上記利用者からの選択指定情報を携帯電話３に送出し、その選択指定情報対応する情報の概要、即ち、選択指定されたメニュー項目がメール印刷の場合には件名リストなどのデータを携帯電話３から受け取って、メールプリント処理を実行する（Ｓ３０５）。
【００４４】
また、選択指定されたメニュー項目がアドレス印刷の場合には、アドレス帳に登録されている登録者名リストなどのデータを携帯電話３から受け取って、アドレスプリントの処理を実行し（Ｓ３０６）、また、選択指定されたメニュー項目が写真印刷の場合には、写真の実画像やサムネイルなどのデータを携帯電話３から受け取って、写真プリントの処理を実行する（Ｓ３０７）。
【００４５】
上記に続いてプリント処理が完了したか否かを判別し（Ｓ３０８）、プリント処理が完了するまでプリント処理を継続し（Ｓ３０８がＮ）、上記選択されているメニュー項目のプリント処理が全て完了したときは（Ｓ３０８がＹ）印刷処理を終了する。
上記処理Ｓ３０３の判別で、案内メニューからいずれの項目の選択操作も行われていないときは（Ｓ３０３がＮ）、続いて所定時間が経過しているか否かを判別し（Ｓ３０９）、未だ所定時間が経過しないときは（Ｓ３０９がＮ）、処理Ｓ３０３に戻って処理Ｓ３０３及びＳ３０９の処理を繰り返す。
【００４６】
ここで、所定時間何も操作がないと（Ｓ３０９がＹ）、充電処理のみを行って（Ｓ３１０）、印刷処理を行わずに終了する。
すなわち、所定時間ユーザから何も操作がないときは、主電源スイッチ１３が切られて主電源がオフの場合と同じであり、充電処理のみが行われる。
【００４７】
図４は、上記の処理Ｓ３０５のメールプリント処理を更に詳しく説明するフローチャートである。同図において、先ず、プリンタ装置１のコントローラ１７は、携帯電話３のメインコントローラ２５に対し、メールリストの送信を要求する（Ｓ４０１）。
そして、この要求に応じて携帯電話３から送られてくるメールリストのデータ受信が完了するまで待機し（Ｓ４０２、判別がＮ）、メールリストのデータ受信が完了すると（Ｓ４０２がＹ）、そのメールリストを表示部に表示する（Ｓ４０３）。
【００４８】
プリンタ装置１の表示部の表示領域は小さいので、メールリストのデータは全表示領域に最初の数行が表示される。
プリンタ装置１のコントローラ１７は、利用者によって、上記表示部の表示に対してスクロール操作が行われているか否かを判別し（Ｓ４０４）、スクロール操作が行われていれば（Ｓ４０４がＹ）、表示部の画面をスクロールして最初の数行表示を次のデータ行へと順次表示を移動させて（Ｓ４０５）、表示中メールリストの中から利用者によって、いずれかのメールリストされたか否かを判別する（Ｓ４０６）。
【００４９】
また、処理Ｓ４０４の判別でスクロール操作が行われていないときは（Ｓ４０４がＮ）、直ちに上記の処理Ｓ４０６の処理に移行する。そして、メールリストが選択されていなければ（Ｓ４０６がＮ）、処理Ｓ４０４に戻って、処理Ｓ４０４〜Ｓ４０６を繰り返す。
これにより、利用者は、表示部に表示されている最初の数行の中に所望のデータがあれば、そのデータを選択指定し、更に最初の数行の中以外に他に所望のデータがあるときはスクロール操作を行って次に続くデータを表示させることができ、これらの中から所望のデータを選択指定することができる。
【００５０】
プリンタ装置１のコントローラ１７は、上記の処理Ｓ４０６で、利用者からの選択指定が全て確定したと判断したときは（Ｓ４０６がＹ）、携帯電話３のメインコントローラ２５に対し、上記選択指定が確定した選択メールデータの送信を要求する（Ｓ４０７）。
これにより携帯電話３のメインコントローラ２５は、メモリ部３４から上記プリンタ装置１側から要求された利用者によって選択されたメールデータを読み出して、その読み出したメールデータをプリンタ装置１に送信する。
【００５１】
プリンタ装置１のコントローラ１７は、この携帯電話３から送信されたメールデータを受信して（Ｓ４０８）、印刷処理を開始する（Ｓ４０９）。
なお、上記の処理では、プリンタ装置１のコントローラ１７は、先ず携帯電話３から送信されたメールデータの概要データを表示部に表示させ、実際に印刷したいメールデータを利用者に選択指定入力させ、その選択指定された情報を再度携帯電話３に送信して、選択指定された情報の送信を要求し、該当する印刷すべきデータを携帯電話３から出力させ、この印刷データを受信して、この受信した印刷データに従って印刷処理を実行する。
【００５２】
そして、プリンタ装置１のコントローラ１７は、上記利用者によって選択指定されたメールデータが全て印刷されたか否かを判別し（Ｓ４１０）、全て印刷されていなければ（Ｓ４１０がＮ）、処理Ｓ４０９に戻って、処理Ｓ４０９、Ｓ４０１を繰り返し、全て印刷されたと判断できたときは（Ｓ４１０がＹ）、このメールプリント処理を終了してメインフローチャートの処理に復帰する。
【００５３】
図５は、上述した処理Ｓ３０６のアドレスプリント処理を更に詳しく説明するフローチャートである。先ずこのアドレス印刷において、プリンタ装置１のコントローラ１７は、携帯電話３のメインコントローラ２５に対し、アドレスデータの送信を要求する（Ｓ５０１）。
【００５４】
そして、この要求に応じて携帯電話３から送られてくるアドレスデータの受信が完了するまで待機し（Ｓ５０２、判別がＮ）、そのアドレスデータの受信が完了すると（Ｓ５０２がＹ）、そのアドレスデータを表示部に表示する（Ｓ５０３）。そして、続いて選択指定入力の受付を行う（Ｓ５０４）。
【００５５】
この処理では、図４の処理Ｓ４０４に〜Ｓ４０６と同様の処理が行われて、利用者からの印刷したいアドレスデータの選択指定入力が行われる。
プリンタ装置１のコントローラ１７は、利用者からの選択指定が全て確定したことを判別し、携帯電話３のメインコントローラ２５に対し上記選択指定が確定したアドレスデータの送信を要求し、携帯電話３から送信されたアドレスデータを受信して、この受信したアドレスデータの印刷を実行する（Ｓ５０５）。
【００５６】
なおこの場合も、上記の処理では、プリンタ装置１のコントローラ１７は、先ず携帯電話３から送信されたアドレスデータの概要つまり名前などのような一部的データを表示部に表示させ、実際に印刷したいアドレスデータを利用者に選択指定入力させ、その選択指定された情報を再度携帯電話３に送信して、選択指定された情報の送信を要求し、該当する印刷すべきデータを携帯電話３から出力させ、この印刷データを受信して、この受信した印刷データに従って印刷処理を実行する。
【００５７】
そして、プリンタ装置１のコントローラ１７は、上記利用者によって選択指定されたアドレスデータが全て印刷されたか否かを判別し（Ｓ５０６）、全て印刷されていなければ印刷完了まで待機して（Ｓ５０６がＮ）、選択指定されたアドレスデータが全て印刷されたと判断できたとき（Ｓ５０６がＹ）、このアドレス印刷処理を終了してメインフローチャートの処理に復帰する。
【００５８】
図６は、上述した処理Ｓ３０７の写真プリント処理を更に詳しく説明するフローチャートである。先ずこの写真プリント印刷においてプリンタ装置１のコントローラ１７は、携帯電話３のメインコントローラ２５に対し写真データの送信を要求する（Ｓ６０１）。
そして、この要求に応じて携帯電話３から送られてくるサムネイルデータの受信が完了するまで待機し（Ｓ６０２、判別がＮ）、そのサムネイルデータの受信が完了すると（Ｓ６０２がＹ）、そのサムネイルデータのサムネイルを表示部に表示する（Ｓ６０３）。そして、続いて選択指定入力の受付を行う（Ｓ６０４）。
【００５９】
この処理でも、図４の処理Ｓ４０４に〜Ｓ４０６と同様の処理が行われて、利用者からの印刷したい実写真に対応するサムネイルの選択指定入力が行われる。
プリンタ装置１のコントローラ１７は、利用者からの選択指定が全て確定したことを判別し、携帯電話３のメインコントローラ２５に対し上記選択指定が確定したサムネイルに対応する実画像データの送信を要求し、携帯電話３から送信された実画像データを受信して、この受信した実画像データの印刷を実行する（Ｓ６０５）。
【００６０】
なお、この場合も、上記の処理では、プリンタ装置１のコントローラ１７は、先ず携帯電話３から送信されたサムネイルを表示部に表示させ、実際に印刷したい実画像に対応するサムネイルを利用者に選択指定入力させ、その選択指定された情報を再度携帯電話３に送信して、選択指定された情報の送信を要求し、該当する印刷すべきデータを携帯電話３から出力させ、この印刷データを受信して、この受信した印刷データに従って印刷処理を実行する。
【００６１】
そして、プリンタ装置１のコントローラ１７は、上記利用者によって選択指定された実画像データが全て印刷されたか否かを判別し（Ｓ６０６）、全て印刷されていなければ印刷完了まで待機して（Ｓ６０６がＮ）、選択指定された実画像データが全て印刷されたと判断できたとき（Ｓ６０６がＹ）、この写真プリント印刷処理を終了してメインフローチャートの処理に復帰する。
【００６２】
なお、上記のようにデジタルカメラ（又はデジタルカメラ付き携帯電話）とプリンタを直結してダイレクト印刷する方式は、前述したように最近各社から製品化されているので、それらの方式を応用することで容易に実現できる。
【図面の簡単な説明】
【００６３】
【図１】(a) は一実施の形態におけるプリンタ装置及び印刷システムの外観構成を模式的に示す図、(b) はその変形例の外観構成を模式的に示す図、(c) はプリンタ装置の内部構成を示すブロック図である。
【図２】一実施の形態におけるプリンタ装置及び印刷システムにおける携帯電話の構成を示すブロック図である。
【図３】主電源スイッチによってプリンタ装置に電源が入っている場合の制御の動作を説明するメインフローチャートである。
【図４】メインフローチャートのメールプリント処理を更に詳しく説明するフローチャートである。
【図５】メインフローチャートのアドレスプリント処理を更に詳しく説明するフローチャートである。
【図６】メインフローチャートの写真プリント処理を更に詳しく説明するフローチャートである。
【符号の説明】
【００６４】
１、１´  プリンタ装置
２      クレードル
３      携帯電話
４      ＵＳＢ端子
５      ＵＳＢケーブル
６      ＡＣコンセント
７      ケーブル
８      トランス
９      １次側コイルＬ１
１１    ２次側コイルＬ２
１２    ２次側コイルＬ３
１３    主電源スイッチ
１４    直流電源部
１５    交流電源部
１６    直流負荷部
１７    コントローラ
１８    携帯情報授受回路
１９    ＵＳＢ信号回路
２１    交流負荷部
２２    常時通電直流回路
２３    携帯電話充電回路
２４    ＵＳＢ電源回路
２５    メインコントローラ
２６    信制通御部
２７    表示制御部
２８    蓄電池
２９    充電回路
３１    表示部
３２    操作部
３３    撮像部
３４    メモリ部
３５    プリンタとの印刷制御
３６    外部接続端子
３７    アンテナ
【図１】
2005125634.tif 000003
【図２】
2005125634.tif 000004
【図３】
2005125634.tif 000005
【図４】
2005125634.tif 000006
【図５】
2005125634.tif 000007
【図６】
2005125634.tif 000008